(57)【要約】【課題】  光ファイバ心線に作用する引張り力に対する耐力を向上させる。【解決手段】  この光コネクタ用フェルール２１は、嵌合ピン位置決め方式のフェルールであり、後端側に開口する光ファイバ心線挿通用中空部２と先端面３に横1列に開口する複数の光ファイバ穴４とを備え、その中間に、光ファイバガイド溝５を底部に備えて上面に開口する接着剤充填穴６を備えている。そして、接着剤充填穴６と先端面３との間に、前記光ファイバ穴４に挿通される光ファイバ１２ａを露出させる上面開口の凹所２３を形成している。【選択図】  図３
2006047808.tif 000002
【特許請求の範囲】
【請求項１】
フェルール後端側に開口する光ファイバ心線挿通用中空部と先端面に横1列に開口する複数の光ファイバ穴とを備え、前記光ファイバ心線挿通用中空部と光ファイバ穴部分との間に、前記光ファイバ穴に臨む光ファイバガイド部を底部に備えて上面に開口する接着剤充填穴を備え、光ファイバ穴列の両側にフェルール長手方向に貫通する嵌合ピン穴を備えた光コネクタ用フェルールにおいて、
前記接着剤充填穴位置と先端面との間に、前記光ファイバ穴に挿通される光ファイバを露出させるような、上面側に開口する凹所を形成したことを特徴とする光コネクタ用フェルール。
【請求項２】
前記横1列の光ファイバ穴が複数段に設けられていることを特徴とする請求項１記載の光コネクタ用フェルール。
【発明の詳細な説明】
【技術分野】
【０００１】
この発明は、嵌合ピン位置決め方式の光コネクタに用いる樹脂製の光コネクタ用フェルールに関する。
【背景技術】
【０００２】
図５、図６に従来の光コネクタ用フェルール１を示す。この光コネクタ用フェルール（フェルールと略す）１は、ＭＴコネクタと一般に呼ばれる嵌合ピン位置決め方式の光コネクタ（JIS C 5981：Ｆ１２形多心光ファイバコネクタ)に用いるフェルールに相当するものであり、フェルール後端側（図５、図６で右方）に開口する光ファイバ心線挿通用中空部２と先端面３側（図５、図６で左方）に横1列に開口する複数の光ファイバ穴４とを備え、前記光ファイバ心線挿通用中空部２と光ファイバ穴４部分との間に、前記光ファイバ穴４に臨む光ファイバガイド溝５を底部に備えて上面に開口する接着剤充填用穴６を備え、光ファイバ穴４列の両側に嵌合ピン穴７を備え、後端部に鍔部８を備えた構成であり、樹脂一体成形品である。
【０００３】
このフェルール１を、例えば、ＵＶ素線をテープ状に接着した多心光ファイバ心線に取り付ける場合、図６（ロ）に示すように、予めブーツ９を被せた多心光ファイバ心線１１をフェルール後端側から光ファイバ心線挿通用中空部２に挿入する。そして、各ＵＶ素線１２の被覆１２ｂを除去した光ファイバ（裸ファイバ）１２ａを、光ファイバガイド溝５で案内して光ファイバ穴４に挿入する。その後、接着剤充填穴６に接着剤１３を充填して光ファイバ心線１１をフェルール１に固定する。その際、光ファイバ穴４内にも接着剤を充填するので、ＵＶ素線１２は被覆１２ｂ部分とともに光ファイバ穴４内の光ファイバ１２ａも接着固定される。その後、先端面３を研磨して接続端面とする。
【発明の開示】
【発明が解決しようとする課題】
【０００４】
上記ようにフェルール１を取り付けた多心光ファイバ心線１１には、種々の状況で引張り力が作用する場合があるので、引張り耐力が充分あることが望ましい。しかし、上記従来のフェルール１では、光ファイバ穴４内の光ファイバ１２ａ部分の接着強度は必ずしも充分とは言えない。
本発明は上記従来の欠点を解消するためになされたもので、光コネクタ用フェルールを光ファイバ心線に取り付けた場合に、光ファイバ心線に作用する引張り力に対する耐力を良好に確保できる光コネクタ用フェルールを提供することを目的とする。
【課題を解決するための手段】
【０００５】
上記課題を解決する本発明は、フェルール後端側に開口する光ファイバ心線挿通用中空部と先端面に横1列に開口する複数の光ファイバ穴とを備え、前記光ファイバ心線挿通用中空部と光ファイバ穴部分との間に、前記光ファイバ穴に臨む光ファイバガイド部を底部に備えて上面に開口する接着剤充填穴を備え、光ファイバ穴列の両側にフェルール長手方向に貫通する嵌合ピン穴を備えた光コネクタ用フェルールにおいて、
前記接着剤充填穴位置と先端面との間に、前記光ファイバ穴に挿通される光ファイバを露出させるような、上面側に開口する凹所を形成したことを特徴とする。
【０００６】
請求項２は、請求項１の光コネクタ用光フェルールにおいて、横1列の光ファイバ穴が複数段に設けられていることを特徴とする。
【発明の効果】
【０００７】
本発明によれば、光ファイバ穴に挿通される光ファイバ（裸ファイバ）を露出させるような、上面側に開口する凹所を設けているので、この凹所に接着剤を充填することで、光ファイバをさらに堅固に固定することができる。すなわち、凹所内の光ファイバが接着剤の塊によって固定されることになり、光ファイバ穴内の薄い接着剤層で固定される従来構造と比べて、光ファイバ心線に作用する引張り力に対する引張り強度（すなわち、引張り耐性）が向上する。
【発明を実施するための最良の形態】
【０００８】
以下、本発明を実施した光コネクタ用フェルールについて、図面を参照して説明する。
【実施例１】
【０００９】
図１は本発明の一実施例の光コネクタ用フェルール２１の斜視図、図２は図１の光コネクタ用フェルール２１の平面図、図３（イ）は図２のＡ−Ａ断面図である。これらの図に示すように、この光コネクタ用フェルール（以下フェルールと略す）２１は、前述した通り、ＭＴコネクタと一般に呼ばれる嵌合ピン位置決め方式の光コネクタ（JIS C 5981：Ｆ１２形多心光ファイバコネクタ)に用いるフェルールに相当するものであり、フェルール後端側（図１、図３で右方）に開口する光ファイバ心線挿通用中空部２と先端面３側（図１、図３で左方）に横1列に開口する複数の光ファイバ穴４とを備え、前記光ファイバ心線挿通用中空部２と光ファイバ穴４部分との間に、前記光ファイバ穴４に臨む例えばＵ溝等の光ファイバガイド溝（光ファイバガイド部）５を底部に備えて上面に開口する接着剤充填用穴６を備え、光ファイバ穴４列の両側に嵌合ピン穴７を備え、後端部に鍔部８を備えた構成であり、ＰＰＳ（ポニフェニレンスルファイド）等の樹脂による一体成形品である。
【００１０】
上記の構成の範囲では従来と同様であるが、本発明では、接着剤充填穴６の位置と先端面３との間に、前記光ファイバ穴４に挿通される光ファイバを露出させるような、上面側に開口する凹所２３を形成している。この凹所２３は、断面寸法では例えば先端面３から１〜２ｍｍ（寸法ａ）の位置から長手方向間隔が０．５〜１．５ｍｍ（寸法ｂ）程度の大きさで、光ファイバ穴４の位置より深い深さとする。
【００１１】
上記のフェルール２１を、例えばＵＶ素線をテープ状に接着した多心光ファイバ心線に取り付ける場合について説明すると、図３（ロ）に示すように、予めブーツ９を被せた多心光ファイバ心線１１をフェルール後端側から光ファイバ心線挿通用中空部２に挿入する。そして、各ＵＶ素線１２の被覆１２ｂを除去した光ファイバ（裸ファイバ）１２ａを、光ファイバガイド溝５で案内して光ファイバ穴４に挿入する。その後、接着剤充填穴６及び凹所２３に接着剤１３を充填して各ＵＶ素線１２をフェルール１に固定する。その際、光ファイバ穴４にも接着剤を充填する。その後、先端面３を研磨して接続端面とする。
【００１２】
上記ようにフェルール２１を取り付けた多心光ファイバ心線１１には、種々の状況で引張り力が作用する場合がある。この場合、被覆を除去した光ファイバ（裸ファイバ）１２ａの部分は、光ファイバ穴４内で接着固定されているだけでなく、凹所２３において接着剤１３の塊で固定されているので、充分堅固にフェルール２１に固定される。すなわち、光ファイバ穴４内の薄い接着剤層のみで固定される従来構造と比べて、多心光ファイバ心線１１ないし個別の各ＵＶ素線１２に作用する引張り力に対する引張り強度（すなわち、引張り耐性）が向上する。
【実施例２】
【００１３】
上記実施例のフェルール２１は横1列の光ファイバ穴４を持つだけの一次元配列のフェルールであるが、本発明は、図４に示すように、横1列の光ファイバ穴４を例えば２段などの複数段に設けた二次元配列のフェルール３１にも適用可能である。凹所２３は図１〜図３の実施例の場合と同様であり、同じ符号で示す。
【００１４】
上記の二次元配列のフェルール３１の場合、光ファイバを下段側の光ファイバ穴４から順に挿入していくが、凹所２３から覗くことで、下段の光ファイバの確認、及び上段の光ファイバの確認を個別に行うことができる。
【図面の簡単な説明】
【００１５】
【図１】本発明の一実施例の光コネクタ用フェルールの斜視図である。
【図２】図１の光コネクタ用フェルールの平面図である。
【図３】（イ）は図２のＡ−Ａ断面図、（ロ）は（イ）において単心光ファイバ心線を取り付けた状態を示す図である。
【図４】本発明の他の実施例の光コネクタ用フェルールの斜視図である。
【図５】従来の光コネクタ用フェルールの斜視図である。
【図６】（イ）は図４の光コネクタ用フェルールの断面図、（ロ）は（イ）において単心光ファイバ心線を取り付けた状態を示す図である。
【符号の説明】
【００１６】
２  光ファイバ心線挿通用中空部
３  （フェルールの）先端面
４  光ファイバ穴
５  光ファイバガイド溝（光ファイバガイド部）
６  接着剤充填穴
７  嵌合ピン穴
８  鍔部
１１  多心光ファイバ心線
１２  ＵＶ素線
１２ａ  光ファイバ
１２ｂ  被覆部分
１３  接着剤
２１  フェルール（光コネクタ用フェルール）
２３  凹所
【図１】
2006047808.tif 000003
【図２】
2006047808.tif 000004
【図３】
2006047808.tif 000005
【図４】
2006047808.tif 000006
【図５】
2006047808.tif 000007
【図６】
2006047808.tif 000008